(57)【要約】 【課題】有効放電セルとダミー放電セルとの非直線状の境界線に対するブラックフレームのアライメントを容易にすると共に、輝度及び階調性等の表示特性を最大限に維持可能とする。【解決手段】前面基板と背面基板との間に、表示放電する複数の有効放電セルと該複数の有効放電セルの外側に配置されて表示放電しない複数のダミー放電セルとを、その境界線が非直線状となるように形成したプラズマディスプレイパネル２００と、前記プラズマディスプレイパネル２００の周縁領域を覆って有効表示領域を確定するブラックフレーム２１０と、を備え、前記ブラックフレーム２１０は、その内側縁部が前記有効放電セルとダミー放電セルとの非直線状の境界線の最も内側の部分と最も外側の部分との間に位置するように配設されている、ことを特徴とする。【選択図】図１
2007027119.tif 000002
【特許請求の範囲】
【請求項１】
前面基板と背面基板との間に、表示放電する複数の有効放電セルと該複数の有効放電セルの外側に配置されて表示放電しない複数のダミー放電セルとを、その境界線が非直線状となるように形成したプラズマディスプレイパネルと、
前記プラズマディスプレイパネルの周縁領域を覆って有効表示領域を確定するブラックフレームと、
を備え、
前記ブラックフレームは、その内側縁部が前記有効放電セルとダミー放電セルとの非直線状の境界線の最も内側の部分と最も外側の部分との間に位置するように配設されている、
ことを特徴とするプラズマディスプレイ装置。
【請求項２】
前記ブラックフレームの内側縁部は、ほぼ直線状に形成されていることを特徴とする請求項１記載のプラズマディスプレイ装置。
【請求項３】
前記ブラックフレームの内側縁部は、前記有効放電セルとダミー放電セルとの非直線状の境界線の最も内側の部分に位置合わせされていることを特徴とする請求項１記載のプラズマディスプレイ装置。
【請求項４】
前記ブラックフレームの内側縁部は、前記有効放電セルとダミー放電セルとの非直線状の境界線の最も外側の部分に位置合わせされていることを特徴とする請求項１記載のプラズマディスプレイ装置。
【請求項５】
前記放電セルは、デルタ配置されていることを特徴とする請求項１記載のプラズマディスプレイ装置。
【請求項６】
前記放電セルの形状は、六角形であることを特徴とする請求項５記載のプラズマディスプレイ装置。
【請求項７】
前記放電セルの形状は、四角形であることを特徴とする請求項５記載のプラズマディスプレイ装置。
【請求項８】
前記ブラックフレームは、フィルム状の光学フィルター上に形成されていることを特徴とする請求項１記載のプラズマディスプレイ装置。
【請求項９】
前記ブラックフレームは、前記前面基板の前記背面基板との対向面又はその反対側の面に形成されていることを特徴とする請求項１記載のプラズマディスプレイ装置。
【発明の詳細な説明】
【技術分野】
【０００１】
本発明はプラズマディスプレイ装置に関する。
【背景技術】
【０００２】
一般的にプラズマディスプレイパネルは、前面基板と背面基板との間に隔壁によって仕切られて放電空間となる複数の放電セルを有しており、各放電セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填されている。高周波電圧の印加によって不活性ガスが放電すると、真空紫外線（Ｖａｃｕｕｍ  Ｕｌｔｒａｖｉｏｌｅｔ  ｒａｙｓ）が発生し、隔壁の間に形成された蛍光体が励起されて発光し、画像が具現される。このようなプラズマディスプレイパネルは、薄くて軽いので次世代表示装置として脚光を浴びている。
【０００３】
図８はプラズマディスプレイパネルの放電セル構造を示す斜視図である。
【０００４】
図８を参照すれば、３電極交流面放電型プラズマディスプレイパネルの放電セルは、前面基板１０上に形成された走査電極（Ｙ）及び維持電極（Ｚ）と、背面基板１８上に形成されたアドレス電極（Ｘ）を具備している。走査電極（Ｙ）と維持電極（Ｚ）は、それぞれ透明電極（１２Ｙ、１２Ｚ）と、透明電極（１２Ｙ、１２Ｚ）の線幅より小さな線幅を有して透明電極の一側端部に形成される金属のバス電極（１３Ｙ、１３Ｚ）を含む。透明電極（１２Ｙ、１２Ｚ）は、通常インジウムスズ酸化物（Ｉｎｄｉｕｍ−Ｔｉｎ−Ｏｘｉｄｅ：ＩＴＯ）などの透明な導電材料が使用される。また、この透明電極（１２Ｙ，１２Ｚ）上に形成されるバス電極（１３Ｙ、１３Ｚ）は、通常クロム（Ｃｒ） などの金属材料が使用され、抵抗の高い透明電極（１２Ｙ、１２Ｚ）による電圧降下を減らす役目をしている。
【０００５】
前面基板１０に形成された走査電極（Ｙ）と維持電極（Ｚ）上には、上部誘電体層１４と保護膜１６が順次積層されている。この上部誘電体層１４には、プラズマ放電が発生した際に壁電荷が蓄積される。また、保護膜１６は、プラズマ放電が発生した際に、このプラズマ放電によるスパッタリング（ｓｐｕｔｔｅｒｉｎｇ）効果によって上部誘電体層１４が損傷するのを防止すると共に、２次電子の放出効率を高める働きをする。保護膜１６には、通常、酸化マグネシウム（ＭｇＯ）が使用される。
【０００６】
アドレス電極（Ｘ）が形成された背面基板１８上には、下部誘電体層２２、隔壁２４が形成されており、下部誘電体層２２と隔壁２４の表面には蛍光体層２６が塗布されている。また、アドレス電極（Ｘ）は、走査電極（Ｙ）及び維持電極（Ｚ）と交差するように形成されている。さらに、隔壁２４は、ストライプ（Ｓｔｒｉｐｅ）状 または格子状に形成され、放電によって生成された紫外線及び可視光が隣接する放電セルに漏洩するのを防止する役目をする。また、蛍光体層２６は、プラズマ放電が発生した際に、紫外線によって励起されて赤色（Ｒ）、緑色（Ｇ）、青色（Ｂ）の内何れか一つの可視光線を発生するものである。前面及び背面基板（１０、１８）と隔壁２４とに囲まれた放電セルには、不活性混合ガスが注入されている。
【０００７】
このように、 上述のプラズマディスプレイパネルは、パネルを駆動させるための図示省略の駆動部と、所定の機能を果たすために前面基板上に形成された図示省略のフィルム状の光学フィルターと、画像を表示するための図示省略の画像処理部などと共にプラズマディスプレイ装置を構成する。
【０００８】
ここで、プラズマディスプレイパネルの周縁領域には、有効な映像表示に寄与しない非表示領域を覆うブラックフレームが形成されることがある。
【０００９】
上記ブラックフレームは、プラズマディスプレイパネルの周縁領域を覆って有効表示領域を確定するためのものである。
【００１０】
しかし、このようなブラックフレームの形成においては、製造上困難な工程がある。例えば、放電セルの形状や放電セルの配列状態等によっては、有効表示領域に対応して形成され表示放電する有効放電セルと、非表示領域に対応して形成され表示放電しないダミー放電セルとの境界線が直線状とならない場合がある。このような場合に、上記境界線通りにブラックフレームを形成しようとしたときには、上記境界線に対するブラックフレームのアライメントが難しいという問題が発生する。
【００１１】
一方、上記非直線状の境界線に対するブラックフレームのアライメントが著しくずれた場合には、輝度の低下や階調性等の表示特性が劣化するという問題がある。
【発明の開示】
【発明が解決しようとする課題】
【００１２】
本発明の目的は、有効放電セルとダミー放電セルとの非直線状の境界線に対するブラックフレームのアライメントを容易にすると共に、輝度及び階調性等の表示特性を最大限に維持可能としたプラズマディスプレイ装置を提供することにある。
【課題を解決するための手段】
【００１３】
本発明によるプラズマディスプレイ装置は、前面基板と背面基板との間に、表示放電する複数の有効放電セルと該複数の有効放電セルの外側に配置されて表示放電しない複数のダミー放電セルとを、その境界線が非直線状となるように形成したプラズマディスプレイパネルと、前記プラズマディスプレイパネルの周縁領域を覆って有効表示領域を確定するブラックフレームと、を備え、前記ブラックフレームは、その内側縁部が前記有効放電セルとダミー放電セルとの非直線状の境界線の最も内側の部分と最も外側の部分との間に位置するように配設されている、ことを特徴とする。
【００１４】
前記ブラックフレームの内側縁部は、ほぼ直線状に形成されていることを特徴とする。
【００１５】
前記ブラックフレームの内側縁部は、前記有効放電セルとダミー放電セルとの非直線状の境界線の最も内側の部分に位置合わせされていることを特徴とする。
【００１６】
前記ブラックフレームの内側縁部は、前記有効放電セルとダミー放電セルとの非直線状の境界線の最も外側の部分に位置合わせされていることを特徴とする。
【００１７】
前記放電セルは、デルタ配置されていることを特徴とする。
【００１８】
前記放電セルの形状は、六角形であることを特徴とする。
【００１９】
前記放電セルの形状は、四角形であることを特徴とする。
【００２０】
前記ブラックフレームは、フィルム状の光学フィルター上に形成されていることを特徴とする。
【００２１】
前記ブラックフレームは、前記前面基板の前記背面基板との対向面又はその反対側の面に形成されていることを特徴とする。
【発明の効果】
【００２２】
本発明によれば、ブラックフレームの内側縁部を有効放電セルとダミー放電セルとの非直線状の境界線の最も内側の部分と最も外側の部分との間に位置させるようにしているので、アライメントの許容範囲が広がり上記非直線状の境界線に対するブラックフレームのアライメントが容易になる。
【００２３】
また、ブラックフレームの内側縁部を有効放電セルとダミー放電セルとの非直線状の境界線の最も内側の部分に合わせれば、ダミー放電セルを全て覆ってダミー放電セルによる有効放電セルに対する電気的影響を抑制し、有効放電セルによって表示される画像の階調特性を最大限に維持することができる。
【００２４】
さらに、ブラックフレームの内側縁部を有効放電セルとダミー放電セルとの非直線状の境界線の最も外側の部分に合わせれば、有効表示領域を最大に広げて輝度を最大限に維持することができる。
【発明を実施するための最良の形態】
【００２５】
以下、本発明によるプラズマディスプレイ装置の一実施形態を、添付図面を参照して説明する。
【００２６】
図１は本発明のプラズマディスプレイパネルに形成されるブラックフレームの一例を示す図である。
【００２７】
図１に示されているように、本発明のプラズマディスプレイ装置の一実施形態によるブラックフレーム２１０は、プラズマディスプレイパネル２００の周縁領域を覆うことで有効表示領域（Ａ／Ａ）を確定するものである。また、同時に、プラズマディスプレイパネル２００の周縁領域の不必要な部分を覆って有効表示領域に表示される画像の階調表示を改善して表示特性をよくするものである。
【００２８】
ここで、ブラックフレーム２１０が形成された部分をより詳細に見ると、有効表示領域（Ａ／Ａ）と非表示領域との境界部分（Ｓ）に対応する位置の放電セルは、図２に示すようになっている。
【００２９】
図２は本発明のプラズマディスプレイ装置の放電セルの一配置例として、デルタ配置を示す図である。
【００３０】
図２に示されているように、図８に示す前面基板１０と背面基板１８とが合着されて形成された放電セルは、例えば、赤色（Ｒ）、緑色（Ｇ）、青色（Ｂ）の蛍光体が塗布されたサブ放電セルによって一組の画素を構成している。
【００３１】
ここで、本実施形態における放電セルの配置は、一つの画素を構成する赤色（Ｒ）、緑色（Ｇ）、青色（Ｂ）のサブ放電セルとの間の稠密度を高めるためにデルタ配置３００となっている。     
【００３２】
このようなデルタ配置３００の放電セル構造は、前述の図８に示す従来のストライプ（Ｓｔｒｉｐｅ）状の隔壁によって区画される放電セル構造よりも蛍光体の塗布面積が増加して輝度を向上させることができるだけでなく、一画素を形成する各サブ放電セルとの間の稠密度が高くなることで緻密な画像表示ができ、解像度を向上させることができるとい利点がある。
【００３３】
図２では、デルタ配置３００の一例として六角形状の放電セルを示している。ここで、前述した放電セルの内でプラズマディスプレイパネルの周縁領域の放電セルは、駆動パルスが不安定で誤放電が起きやすいため表示放電には使用されない。このような放電セルをダミー放電セル３１０と言う。
【００３４】
このようなダミー放電セル３１０は、表示放電して画像を表示するために蛍光体（Ｒ、Ｇ、Ｂ）が塗布された有効放電セル３２０の内、上記ダミー放電セル３１０に隣接した有効放電セル３２０に電気的影響を及ぼし、有効放電セル３２０によって表示される画像の階調特性に悪影響を与える。そこで、ブラックフレームによって、ダミー放電セル３１０の部分を覆うことで有効放電セル３２０によって表示される有効表示領域の階調性を改善し、表示特性を向上することができる。
【００３５】
図３は本発明のプラズマディスプレイ装置において、ブラックフレームの第１の配設例を示す図である。
【００３６】
図３に示されているように、プラズマディスプレイパネルの前面基板１０（図８参照）と背面基板１８（図８参照）との間には、隔壁４４０で仕切られて放電空間となる放電セル（４１０、４２０）が形成されている。また、ブラックフレーム４３０は、プラズマディスプレイパネルの周縁領域を覆って有効表示領域を確定している。この場合、ブラックフレーム４３０は、その内側縁部４３１によって、有効表示領域の最も外側に位置する放電セルの内、少なくとも一つの放電セルの一部分を覆うように配設される。
【００３７】
具体的には、有効表示領域の最も外側に位置する放電セルは、図３に示すように有効放電セル４２０である。従って、この場合、ブラックフレーム４３０は、有効表示領域の最も外側に位置する放電セルの内、少なくとも一つの有効放電セル４２０の一部分を覆うことになる。
【００３８】
望ましくは、ブラックフレーム４３０は、その内側縁部４３１の一部を有効放電セル４２０とダミー放電セル４１０との接する部分に合わせて配設するとよい。
【００３９】
また、上記放電セルの配置は、デルタ配置４００となっており、各サブ放電セル間の稠密度を高めて緻密な画像表示ができるようにしている。
【００４０】
さらに、放電セルの形状は、多角形であり、例えば、図３に示すように六角形であってもよい。
【００４１】
図３に示すように、ブラックフレームの内側縁部４３１をほぼ直線状に形成しても有効表示領域を明確に確定することができる。この場合、有効放電セル４２０とダミー放電セル４１０との境界線が非直線状であっても、該非直線状の境界線にならってブラックフレームの内側縁部をアライメントする必要がないので、ブラックフレームのアライメントが容易になる。
【００４２】
また、 図３に示すようにブラックフレームを、その内側縁部４３１が有効表示領域の最も外側に位置する有効放電セル４２０の内、何れか一つに対応するように配設すれば、ダミー放電セル４１０が全て覆われることになり、有効放電セル４２０によって表示される画像の階調表示特性を最大限に維持することができる。
【００４３】
ここで、より望ましくは、ブラックフレームの内側縁部４３１を有効放電セル４２０とダミー放電セル４１０とが接する部分に合わせることでダミー放電セル４１０を全て覆うと同時に、有効放電セル４２０による有効表示領域を広げて輝度を最大限に維持することができる。
【００４４】
図４は本発明のプラズマディスプレイ装置において、ブラックフレームの第２の配設例を示す図である。
【００４５】
図４に示されているように、プラズマディスプレイパネルの前面基板１０（図８参照）と背面基板１８（図８参照）との間には、隔壁５４０で仕切られて放電空間となる放電セル（５１０、５２０）が形成されている。また、ブラックフレーム５３０は、プラズマディスプレイパネルの周縁領域を覆って、有効表示領域を確定している。この場合、ブラックフレーム５３０は、その内側縁部５３１によって、有効表示領域の最も外側に位置する放電セルの内、少なくとも一つの放電セルの一部分を覆うように配設される。
【００４６】
具体的には、有効表示領域の最も外側に位置する放電セルは、図４に示すようにダミー放電セル５１０である。従って、この場合、ブラックフレーム５３０は、有効表示領域の最も外側に位置する放電セルの内、少なくとも一つのダミー放電セル５１０の一部分を覆うことになる。
【００４７】
望ましくは、ブラックフレーム５３０は、その内側縁部５３１の一部が有効放電セル５２０とダミー放電セル５１０との接する部分に合わせて配設するとよい。
【００４８】
また、上記放電セルの配置は、デルタ配置５００となっており、各サブ放電セル間の稠密度を高めて緻密な画像表示ができるようにしている。
【００４９】
さらに、各放電セルの形状は、多角形であり、例えば、図４に示すように六角形であってもよい。
【００５０】
図４に示すように、ブラックフレームの内側縁部５３１をほぼ直線状に形成しても有効表示領域を明確に確定することができる。この場合、有効放電セル５２０とダミー放電セル５１０との境界線が非直線状であっても、該非直線状の境界線にならってブラックフレームの内側縁部をアライメントする必要がないので、ブラックフレームのアライメントが容易になる。
【００５１】
また、図４に示すようにブラックフレームの内側縁部５３１を有効放電セル５２０とダミー放電セル５１０とが接する部分に合わせる。これによって、有効放電セル５２０が全て見えるようになり、有効放電セル５２０が表示する有効表示領域を広げて輝度を最大限に維持することができる。
【００５２】
さらに、有効放電セル５２０によって表示される画像の階調表示に悪影響を及ぼすダミー放電セル５１０を最大限覆って表示特性を維持することができる。
【００５３】
図５は本発明のプラズマディスプレイ装置において、ブラックフレームの第３の配設例を示す図である。
【００５４】
図５に示されているように、プラズマディスプレイパネルの前面基板１０（図８参照）と背面基板１８（図８参照）との間には、隔壁６４０で仕切られて放電空間となる放電セル（６１０、６２０）が形成されている。また、ブラックフレーム６３０は、プラズマディスプレイパネルの周縁領域を覆って、有効表示領域を確定している。この場合、ブラックフレーム６３０は、その内側縁部６３１によって、有効表示領域の最も外側に位置する放電セルの内、少なくとも一つの放電セルの一部分を覆うように配設される。
【００５５】
具体的には、有効表示領域の最も外側に位置する放電セルは、図５に示すように有効放電セル６２０である。従って、この場合、ブラックフレーム６３０は、有効表示領域の最も外側に位置する放電セルの内、少なくとも一つの有効放電セル６２０の一部分を覆うことになる。
【００５６】
より具体的には、ブラックフレーム６３０は、有効放電セル６２０とダミー放電セル６１０との境界線が直線ではない部分にて、有効表示領域の最も外側に位置する放電セルの一部を覆うことになる。例えば、図５においては、有効表示領域の最左側端部と最右側端部に位置する放電セルの内、少なくとも一つの有効放電セル６２０の一部分が覆われている。
【００５７】
望ましくは、ブラックフレーム６３０は、その内側縁部６３１が有効放電セル６２０とダミー放電セル６１０との接する部分に合わせて配設するとよい。
【００５８】
また、上記放電セルの配置は、デルタ配置６００となっており、各サブ放電セル間の稠密度を高めて緻密な画像表示ができるようにしている。
【００５９】
さらに、各放電セルの形状は、多角形であり、例えば、図５に示すように四角形であってもよい。
【００６０】
図５に示すように、ブラックフレームの内側縁部６３１をほぼ直線状に形成しても有効表示領域を明確に確定することができる。この場合、有効放電セル６２０とダミー放電セル６１０との境界線が非直線状であっても、該非直線状の境界線にならってブラックフレームの内側縁部をアライメントする必要がないので、ブラックフレームのアライメントが容易になる。
【００６１】
また、図５に示すようにブラックフレームを、その内側縁部６３１が有効表示領域の最も外側に位置する有効放電セル６２０の内、何れか一つに対応するように配設すれば、ダミー放電セル６１０が全て覆われることになり、有効放電セル６２０によって表示される画像の階調表示特性を最大限に維持することができる。
【００６２】
ここで、より望ましくは、ブラックフレームの内側縁部６３１を有効放電セル６２０とダミー放電セル６１０とが接する部分に合わせることでダミー放電セル６１０を全て覆うと同時に、有効放電セル６２０による有効表示領域を広げて輝度を最大限に維持することができる。
【００６３】
図６は本発明のプラズマディスプレイ装置において、ブラックフレームの第４の配設例を示す図である。
【００６４】
図６に示されているように、プラズマディスプレイパネルの前面基板１０（図８参照）と背面基板１８（図８参照）との間には、隔壁７４０で仕切られて放電空間となる放電セル（７１０、７２０）が形成されている。また、ブラックフレーム７３０は、プラズマディスプレイパネルの周縁領域を覆って有効表示領域を確定している。この場合、ブラックフレーム７３０は、その内側縁部７３１によって、有効表示領域の最も外側に位置する放電セルの内、少なくともの一つの放電セルの一部分を覆うように配設される。
【００６５】
具体的には、有効表示領域の最も外側に位置する放電セルは、図６に示すようにダミー放電セル７１０である。従って、この場合、ブラックフレーム７３０は、有効表示領域の最も外側に位置する放電セルの内、少なくとも一つのダミー放電セル７１０の一部分を覆うことになる。
【００６６】
より具体的には、ブラックフレーム７３０は、有効放電セル７２０とダミー放電セル７１０の境界線が直線ではない部分にて、有効表示領域の最も外側に位置するダミー放電セル７１０の一部を覆うことになる。例えば、図６においては、有効表示領域の最左側端部と最右側端部に位置する放電セルの内、少なくとも一つのダミー放電セル７１０の一部分が覆われている。
【００６７】
望ましくは、ブラックフレーム７３０は、その内側縁部７３１が有効放電セル７２０とダミー放電セル７１０との接する部分に合わせて配設するとよい。
【００６８】
また、上記放電セルの配置は、デルタ配置７００となっており、各サブ放電セル間の稠密度を高めて緻密な画像表示ができるようにしている。
【００６９】
さらに、各放電セルの形状は、多角形であり、例えば図６のように四角形であってもよい。
【００７０】
図６に示すように、ブラックフレームの内側縁部７３１をほぼ直線状に形成しても有効表示領域を明確に確定することができる。この場合、有効放電セル７２０とダミー放電セル７１０との境界線が非直線状であっても、該非直線状の境界線にならってブラックフレームの内側縁部をアライメントする必要がないので、ブラックフレームのアライメントが容易になる。
【００７１】
また、図６に示すように、ブラックフレームが、その内側縁部７３１を有効放電セル７２０とダミー放電セル７１０との接する部分に合わせて配設されているので、有効放電セル７２０が全て見えるようになり、有効放電セル７２０が表示する有効表示領域を広げて輝度を最大限に維持することができる。
【００７２】
さらに、ブラックフレームでダミー放電セル７１０を最大限に覆って、有効放電セル７２０によって表示される画像の階調表示特性を維持することができる。
【００７３】
以上の説明では、放電セルがデルタ配置されている場合について述べたが、本発明はこれに限定されず、有効放電セルとダミー放電セルとの境界線が非直線状となるすべてのセル構造に適用可能である。
【００７４】
また、本発明のブラックフレームにおいて、その内側縁部の位置は、上述した配設例に限定されず、表示特性及び輝度を最大限に維持するために調節可能である。
【００７５】
図７は本発明のプラズマディスプレイ装置において、ブラックフレームの内側縁部の配置可能な範囲を説明する図である。
【００７６】
図７に示されているように、本発明のプラズマディスプレイ装置によるブラックフレーム８３０の内側縁部８３１の位置は、有効放電セル８２０とダミー放電セル８１０との非直線状の境界線にて、図７に示す横方向の境界線の最も内側部分と最も外側部分との間ｄ１の範囲で調節できる。また、図７に示す縦方向の境界線においては、その最も内側部分と最も外側部分との間ｄ２の範囲で調節できる。これにより、上記非直線状の境界線に対するブラックフレームのアライメントの許容範囲が広がり、アライメントが容易になる。
【図面の簡単な説明】
【００７７】
【図１】本発明のプラズマディスプレイパネルに形成されるブラックフレームの一例を示す図である。
【図２】本発明のプラズマディスプレイ装置において、デルタ配置された放電セルの一例を示す図である。
【図３】本発明のプラズマディスプレイ装置において、ブラックフレームの第１の配設例を示す図である。
【図４】本発明のプラズマディスプレイ装置において、ブラックフレームの第２の配設例を示す図である。
【図５】本発明のプラズマディスプレイ装置において、ブラックフレームの第３の配設例を示す図である。
【図６】本発明のプラズマディスプレイ装置において、ブラックフレームの第４の配設例を示す図である。
【図７】本発明のプラズマディスプレイ装置において、ブラックフレームの内側縁部の配置可能な範囲を説明する図である。
【図８】３電極交流面放電型プラズマディスプレイパネルの放電セル構造を示す斜視図。
【符号の説明】
【００７８】
１０…前面基板
１８…背面基板
２００…プラズマディスプレイパネル
２１０，４３０，５３０，６３０，７３０，８３０…ブラックフレーム
４３１，５３１，６３１，７３１，８３１…ブラックフレームの内側縁部
３００，４００，５００，６００，７００，８００…デルタ配置
３１０，４１０，５１０，６１０，７１０，８１０…ダミー放電セル
３２０，４２０，５２０，６２０，７２０，８２０…有効放電セル
【図１】
2007027119.tif 000003
【図２】
2007027119.tif 000004
【図３】
2007027119.tif 000005
【図４】
2007027119.tif 000006
【図５】
2007027119.tif 000007
【図６】
2007027119.tif 000008
【図７】
2007027119.tif 000009
【図８】
2007027119.tif 000010